【事件の表示】
　平成　８年特許願第２３５７９５号「油中水型高分子量重合体エマルションの製造法」拒絶査定不服審判事件〔平成　９年　５月　６日出願公開、特開平　９−１１８７０４〕について、次のとおり審決する。
【結　論】
　本件審判の請求は、成り立たない。
【理　由】
（１）手続の経緯・本願発明
　本願は、平成８年８月２０日の出願（優先権主張平成７年８月２１日、日本）であって、その請求項１及び２に係る発明（以下、それぞれ「本願発明１」及び「本願発明２」という。）は、その明細書の記載からみて、特許請求の範囲の請求項１及び２に記載された事項により特定される次のとおりのものと認める。
「【請求項１】  アクリルアミドを含む単量体を油中水型エマルション重合法により重合し油中水型重合体エマルションを製造するに当り、該アクリルアミドがニトリルヒドラターゼの触媒作用によりアクリロニトリルを水和して製造されたものであることを特徴とする油中水型高分子量重合体エマルションの製造法。
【請求項２】  油中水型エマルション重合における水相中の単量体濃度が３０重量％以上である請求項１記載の油中水型高分子量重合体エマルションの製造法。」
（２）引用例
　これに対して、原審の拒絶理由において引用された刊行物は次のとおりである。
刊行物１：特開昭６１−１１５４９５号公報
刊行物２：特開昭５１−０４１０９０号公報
刊行物３：特開昭６０−１９０４０３号公報
刊行物４：特開平０６−３２９７０８号公報
　そして、上記刊行物１〜４には、次の記載が認められる。
ａ、刊行物１
「ニトリル水和能を有する微生物の作用により水性媒体中でアクリロニトリルを水和して得られるアクリルアミド水溶液を活性炭で処理し、このアクリルアミド単量体またはこれを主体とする単量体混合物を重合することを特徴とするアクリルアミド系重合体の製造方法。」（特許請求の範囲）
「従来、工業的に得られるアクリルアミドは、そのほとんど全てが銅含有触媒を用いてアクリロニトリルを水和する所謂接触水和法により製造されたものである。……しかしながら、上記接触水和法においては、得られたアクリルアミド水溶液中に反応副生物や触媒に由来する微量の不純物が混入し、これを精製工程によつて完全に取り除くことが難しく、アクリルアミド系重合体の用途によつてはその原料として満足し得るものではなかつた。」（第１頁右下欄４〜１５行）
「この方法によれば、酵素反応に特徴的である高選択性によりアクリルアミド以外の副生物がほとんど生成しないことおよび触媒である微生物菌体からの不純物の溶出が極めて少ないため、得られたアクリルアミド水溶液は通常そのまま各種重合体製造用の原料として使用することが可能である。」（第１頁右下欄最下行〜第２頁左上欄６行）
「本発明は、このような微生物反応により得られるアクリルアミド水溶液の利点を最大限活用し、さらに高分子量で溶解性の良い高性能のアクリルアミド系重合体を得ようとするものである。一般に、高分子量になる程溶解性は低下する傾向にあるが、凝集剤や製紙工業における抄紙用粘剤等の用途においては、高分子量で且つ溶解性の優れていることが特に要求される。」（第２頁左上欄８〜１５行）
「本発明のアクリルアミド系重合体は、このようにして得られたアクリルアミド水溶液をそのまま、あるいは、これにアクリルアミドと共重合可能な他のビニル単量体、例えばアクリル酸……を通常５０重量％以下混合し重合することによつて得られる。」（第３頁左上欄８〜１６行）
「重合開始剤としては、通常使用されるラジカル開始剤、例えば、過硫酸塩、…………等の酸化性物質……レドツクス系開始剤、あるいはさらにアゾビスイソブチロニトリル、……等のアゾ化合物、またはこれと前記酸化性物質やレドツクス系開始剤を組み合わせた系が挙げられる。」（第３頁右上欄７〜１９行）
ｂ、刊行物２
「（１）分散相としての水に溶解したアクリルアミド単量体および連続相としての液状炭化水素とからなる油中水型エマルジヨンを作る工程；この場合アクリルアミドの量は上記水相の約１５乃至６５重量パーセントであり、上記の炭化水素の量は上記の水相の重量に基づき約１５乃至１００重量パーセントであり、また上記のエマルジヨンは乳化剤として有効量の非イオン性または陰イオン性の界面活性剤を含むものとする；
（２）該アクリルアミドを重合して、上記の分散した水相に水溶性の高分子量ポリアクリルアミドを生ぜしめる工程；
（３）上記のポリアクリルアミドに於けるアクリルアミド単位１００モル当り０．５乃至５０モルの量の水性強アルカリを上記エマルジヨンの隅から隅まで均一に配分する工程；および
（４）該ポリアクリルアミドを加水分解して対応する陰イオン性ポリアクリルアミドを与える工程、の各工程からなる水溶性の高分子量陰イオン性ポリアクリルアミドを含有する分散水相を有するポンプで輸送可能の固体含有率の高い油中水エマルジヨンを製造する方法。」（特許請求の範囲）
ｃ、刊行物３
「１．少なくとも４０重量％の水溶性ポリマーを含む濃化された安定な油中水型エマルジヨンの製造方法であつて；
（１）連続油相中に分散する水性相中に少くとも一つの水溶性モノマーを含む油中水型エマルジヨンを形成し、該モノマーエマルジヨンが油中水型エマルジヨンが油中水型の乳化剤の乳化剤的量を含み、
（２）該モノマーエマルジヨンをモノマーを重合させるのに十分な条件にさらしそれによつて水溶性ポリマーの安定な油中水型の濃縮前エマルジヨンを形成し、そして、
（３）この濃縮前エマルジヨンから水の少くとも一部を除去することによって濃縮前エマルジヨンを濃縮する、各工程から成り；
工程（３）の前またはその間に、濃縮前エマルジヨンのバルク粘度を低下させるのに十分な量で、ただし濃縮前エマルジヨンまたは濃縮したエマルジヨンを不安定化させる量より少ない量で、転相用界面活性剤を添加することを特徴とする、製造方法。」（特許請求の範囲第１項）
「例示的の水溶性モノマーはアクリルアミド、メタクリルアミド、………が挙げられる。前記の水溶性モノマー類の中、アクリルアミドと、アクリルアミドおよびアクリル酸の組合せとが好ましい。」（第４頁左上欄６行〜同右上欄１４行）
ｄ、刊行物４
「【請求項１】  ａ）レドックス重合触媒を含有するアクリルアミドモノマー水溶液の微小滴を不連続相とし、油溶性乳化剤を含有する液状炭化水素を連続相としてなる油中水型乳化物をつくり；
ｂ）該アクリルアミドモノマーを塊状重合して、不連続相としてのアクリルアミドポリマーの水溶液粒を形成させ；
ｃ）該アクリルアミドポリマーをアルカリ金属水酸化物もしくは第４級アンモニウム水酸化物と反応させて該ポリマーの少なくとも一部を加水分解し、固有粘度で少なくとも約１５ｄｌ／ｇ、溶液粘度で少なくとも約４ｍＰａ．ｓとして表される１０００万以上の分子量を持つ重合体を生成させることを含んでなる改良された諸性能を有する凝集剤の製造方法。」（特許請求の範囲請求項１）
（３）対比・判断
　本願発明１と刊行物１に記載された発明を対比すると、両者は、アクリルアミドを含む単量体を重合し、重合体を製造するに当り、該アクリルアミドがニトリルヒドラターゼの触媒作用によりアクリロニトリルを水和して製造されたものである点で一致し、本願発明１では、アクリルアミドを油中水型エマルション重合法により重合し油中水型エマルションを製造するのに対し、刊行物１の実施例ではアクリルアミドの水溶液をそのまま重合してポリマー水溶液としており、油中水型エマルション重合についての記載がない点で相違するものと認められる。
　しかしながら、アクリルアミドを重合する際に、油中水型エマルション重合することは刊行物２〜４に記載されるとおり、よく知られたことに過ぎない。
　また、油中水型エマルション重合も、刊行物１に記載の水溶液における重合も、ともにアクリルアミド水溶液が使用され、また、同一の開始剤が使用されるものであり、重合そのものが大きく相違するものともいえず、エマルションでの重合か、水溶液での重合かは、ポリマーの最終的形態としてエマルションか水溶液という目的に応じて適宜選択されるものといえ、油中水型エマルション重合を採用することに何ら困難性はないといえる。
　本願発明１では、高濃度かつ高分子量のアクリルアミド系重合体が得られるとしているが、刊行物１でも、不純物が多いとされる銅触媒法に比べて、ニトリルヒドラターゼによる水和したアクリルアミド水溶液を使用することによって高分子量のものが得られるものであり、また、高濃度化は刊行物３に記載されるように適宜濃縮化により容易に得られるものであるから、本願発明１の作用効果も格別なものとすることはできない。
　よって、本願発明１は、刊行物１〜４に記載された発明に基づいて、当業者が容易に発明をすることができたものである。
　また、本願発明２の水相中の単量体濃度を３０重量％以上とすることについては、刊行物２に、モノマー濃度が約１５乃至６５重量％と記載されるように、通常の範囲内のものと認められ、本願発明１と同様の理由により、本願発明２も、刊行物１〜４に記載された発明に基づいて、当業者が容易に発明をすることができたものである。
（４）むすび
　以上のとおり、本願発明１及び２は、刊行物１〜４に記載された発明に基づいて、当業者が容易に発明をすることができたものであるので、特許法第２９条第２項の規定により、特許を受けることができない。
　よって、結論のとおり審決する。